(57)【要約】      （修正有）【課題】マウスが持っている機能を、損なうことなくキーボードの一部に設けて、全ての入力操作は、キーボードだけで行う。【解決手段】マウスの持つ全ての入力機能を、キーボードの中央部下段スペースキーの下に配置する。配置は、アナログスティック（１）を中心に置き座標上のポインタの動きを操作する。左クリックボタン（２）と右クリックボタン（３）はアナログスティック（１）の両側に配置する。これは、指先操作に最も適した配置である。水平ホイール（４）、垂直ホイール（５）は、アナログスティック（１）の下部に並列に配置する。カスタムボタンＡ（６）は、左クリックボタン（２）の左に配置し、カスタムボタンＢ（７）は、右クリックボタン（３）の右に配置する。カスタムボタンＣ（８）は、水平ホイール（４）の左に配置し、カスタムボタンＤ（９）は、垂直ホイール（５）の右に配置する。【選択図】図２
0003117837.tif 000002
【実用新案登録請求の範囲】
【請求項１】
マウスと同等以上の機能を持つ座標入力装置を、一式キーボードに組み込む。
【請求項２】
座標上のポインタの操作にアナログスティックを使用する。
【請求項３】
図２に示す座標入力装置の配置一式とホームポジションを崩さずにすむアナログスティック（１）を中心にして左クリックボタン（２）、右クリックボタン（３）の配置とする。
【考案の詳細な説明】
【技術分野】
【０００１】本考案はコンピューター、ワードプロセッサー等の情報処理装置の入力装置に関するものである。
【背景技術】
【０００２】情報入力装置の一部で、座標上のポインタによる進行、転換、戻り、縦、横、の移動は、マウスで入力をするタイプが主流となっている。これを座標入力装置と仮称する。ノートパソコンの様なコンパクトタイプの座標入力装置には、マウス、トラックパット、トラックボール、トラックポイント等による方法がある。しかし、マウスを除く、他の方法で操作をすると、ポインタの動きが途切れたり、指の動きがポインタに伝わらなかったり、指がトラックの外にはみ出して動作が途切れる等、操作性が劣る為、利用する頻度は非常に少ない。【０００３】マウスの長所は、座標上のポインタの動きが手の動きと１：１であることが、スピードと的確な動きなど装置に信頼性があり、広く使用されている。【０００４】マウスの欠点は、（Ａ）キーボードと分離されているため、マウスの操作スペースが別に必要になる事と、接続コードが付く為、移動や携帯に不便である。【０００５】マウスの欠点は、（Ｂ）作業中の手の位置は、キーボード上のホームポジションに在り、マウスを操作するには、キーボードから片手をキーボードの枠外まで移動しなければマウスを操作できない。
マウス操作が頻繁であれば有るほど非常に煩わしくなる。
【考案の開示】
【考案が解決しようとする課題】
【０００６】従来の技術の座標入力装置はマウスが主流となっている、しかしマウスの作業に慣れてくると上記に記述したようなマウスの欠点が目立って、解決策が無いかと考えていた。
【考案による解決手段】
【０００７】マウスが持っている機能を、損なうことなくキーボードの一部に設けて、全ての入力操作は、キーボードだけで行う。
【０００８】図２に示すように、マウスの持つ全ての入力機能を、キーボードの中央部下段スペースキーの下に配置する。
【０００９】配置は、アナログスティック（１）を中心に置き座標上のポインタの動きを操作する。
【００１０】左クリックボタン（２）と右クリックボタン（３）はアナログスティック（１）の両側に配置する。これは、指先操作に最も適した配置である。
【００１１】水平ホイール（４）、垂直ホイール（５）は、アナログスティック（１）の下部に並列に配置する。カスタムボタンＡ（６）は、左クリックボタン（２）の左に配置し、カスタムボタンＢ（７）は、右クリックボタン（３）の右に配置する。カスタムボタンＣ（８）は、水平ホイール（４）の左に配置し、カスタムボタンＤ（９）は、垂直ホイール（５）の右に配置する。
【００１２】キーボードは座標入力装置が追加された分、ボードのスペースを拡張する。
【考案の効果】
【００１３】本考案の効果としては、座標入力がキーボード上の一ヶ所で操作することができ、入力作業の効率が非常に良くなる。
【効果を実施するための最良の形態】
【００１４】本考案の実施について、座標入力装置の重要機能であるアナログスティックによるポインタの動きについては、市販されているゲームのアナログスティックの作動を調整して、テストを行った。ゲーム機で使っているアナログスティックは、調整しだいで直ぐ使用可能な操作性を持っていることは、テストで確認している。尚パソコンに使うためには、大きさや形状、材質等の開発は必要である。
【００１５】各ボタンの機能については、マウスの持つ機能と、同等若しくは、それ以上の物を具備できれば、製作も可能である。
【実施例】
【００１６】市販のアナログスティックを使って、ポインタの動きがパソコン操作に適合する動きができる様にテストは実施した。
【産業上の利用可能性】
【００１７】現在の座標入力装置の大半がマウスに依存している、しかしマウスの持っている欠点を解消するために、マウスと同等の機能をキーボードに組み込めば、マウスは不要となり、従来の入力装置以上に操作性が上がるので、キーボードの需要が高まるのは必然である。
【図面の簡単な説明】
【００１８】
【図１】ポインタを示すディスプレイ正面図である。
【図２】本考案（座標の入力装置）の全てを示すキーボード平面図である。
【図３】アナログスティックの側面図。
【図４】マウスを利用した従来の作業手順で手の移動を示した平面図である。
【図５】本考案でキーボード上の手の位置がホームポジションの状態で操作できることを示した平面図。
【図６】本考案でキーボード上、右手のみ小移動して操作していることを示した平面図。
【図１】
0003117837.tif 000003
【図２】
0003117837.tif 000004
【図３】
0003117837.tif 000005
【図４】
0003117837.tif 000006
【図５】
0003117837.tif 000007
【図６】
0003117837.tif 000008
【手続補正書】
【提出日】平成16年12月11日(2004.12.11)
【手続補正１】
【補正対象書類名】明細書
【補正の内容】
0003117837.tif 000009
0003117837.tif 000010
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
座標入力装置を、キーボードのスペースキーの下部に設けて、ホームポジションで座標入力が出来る、キーボードと一体型座標入力装置の考案を提供する。
一体型にする条件として、ポインタの操作にはアナログスティックを使用する、又、ホームポジションをキープする為にアナログスティックをキーボードのスペースキーの下部に設け、アナログスティックを中心に、ホームポジションに最適なボタン類や、ホイールの配置を提供する。
【請求項２】
アナログスティックの形状は、ポインタ操作を最適にするため指先や、手の平がタッチする部分を逆皿型半球面状とする。
【請求項３】
キーボードのホームポジション状態で、座標入力操作がスムースに行える各種操作ボタン類の配置の考案。
キーボードのスペースキーの下にアナログスティックを取付け、アナログスティックを中心として、左右にクリックボタン各１個取り付け、その外側の左右にカスタムボタン各１個を取ける、更にアナログスティックの下の左側に水平ホイール、右側に垂直ホイールを取り付ける、そしてホイールの外側左右にカスタムボタン各１個を配置したキーボードとする。
ボタン類は、最多配置を記しているが、コンパクトにする為には、ボタン類を半分にする事も出来る。
【手続補正書】
【提出日】平成17年10月1日(2005.10.1)
【手続補正１】
【補正対象書類名】実用新案登録請求の範囲
【補正対象項目名】全文
【補正方法】変更
【補正の内容】
【実用新案登録請求の範囲】
【請求項１】
座標入力装置を、キーボードのスペースキーの下部に設けて、ホームポジションで座標入力が出来る、キーボードと一体型座標入力装置において、
一体型にする条件として、ポインタの操作にはアナログスティックを使用する、又、ホームポジションをキープする為にアナログスティックをキーボードのスペースキーの下部に設け、アナログスティックを中心に、ホームポジションに最適なボタン類や、ホイールの配置を提供する、キーボードと一体化した座標入力装置。
【請求項２】
前記請求項１におけるアナログスティックの形状は、ポインタ操作を最適にするため指先や、手の平がタッチする部分を逆皿型半球面状とする、キーボードと一体化した座標入力装置。
【請求項３】
キーボードのホームポジション状態で、座標入力操作がスムースに行える各種操作ボタン類の配置であって、キーボードのスペースキーの下にアナログスティックを取り付け、アナログスティックを中心として、左右にクリックボタン各１個取り付け、その外側の左右にカスタムボタン各１個を取り付け、更にアナログスティックの下の左側に水平ホイール、右側に垂直ホイールを取り付け、そしてホイールの外側左右にカスタムボタン各１個を配置したキーボードとした、キーボードと一体化した座標入力装置。